(57)【特許請求の範囲】
【請求項１】
DV方式に準拠した圧縮映像音声データをSMPTE-305M規格に規定されたＳＤＴＩフォーマットによって伝送するストリームを生成するＳＤＴＩストリーム生成装置であって、
DV方式で圧縮され、SMPTE-314M規格に規定された並びのDIFデータを受け、SMPTE-321M規格に規定されたストリームブロックを生成するストリームブロック生成手段と、
前記ストリームブロックに含まれるDIFデータが前記SMPTE-314M規格に規定さ
れた並びになるように、525/60システムにおいては、１周期７本の走査線のうち５本の走査線上に前記ストリームブロックを均等個配置し、625/50システムにおいては、１周期25本の走査線のうち18本の走査線上に前記ストリームブロックを均等個配置するストリームブロック配置手段と、
前記ストリームブロックの先頭にSMPTE-305Mに規定されたＳＤＴＩデータタイプヘッダを付加するとともにアンシラリデータ領域にＳＤＴＩデータストリームであることを示すＳＤＴＩヘッダデータを挿入するSMPTE-305Mフォーマッタとを備えたことを特徴とするＳＤＴＩストリーム生成装置。
【請求項２】
ストリームブロック配置手段は、525/60システムにおいては、７ｎ＋３、７ｎ＋７（ｎは０以上の整数）番目以外の走査線上にストリームブロックを配置することを特徴とする請求項１記載のＳＤＴＩストリーム生成装置。
【請求項３】
ストリームブロック配置手段は、先頭DIFデータを含むストリームブロックを第１１番目の走査線上に配置することを特徴とする請求項２記載のＳＤＴＩストリーム生成装置。
【請求項４】
ストリームブロック配置手段は、625/50システムにおいては、２５ｎ＋２、２５ｎ＋６、２５ｎ＋１０、２５ｎ＋１３、２５ｎ＋１７、２５ｎ＋２０、２５ｎ＋２４番目（ｎは０以上の整数）以外の走査線上にストリームブロックを配置することを特徴とする請求項１記載のＳＤＴＩストリーム生成装置。
【請求項５】
ストリームブロック配置手段は、先頭DIFデータを含むストリームブロックを第７番目の走査線上に配置することを特徴とする請求項４記載のＳＤＴＩストリーム生成装置。
【請求項６】
SMPTE-305M規格に規定されたＳＤＴＩフォーマットによって伝送されてきたＳＤＴＩストリームからSMPTE-314M規格に規定されたDIFデータを抽出するのに先だって請求項１記載のＳＤＴＩストリーム生成装置によって生成されたＳＤＴＩストリームか否かを識別するＳＤＴＩストリーム弁別装置であって、
ＳＤＴＩストリームのEAV情報ならびにSAV情報を検出しその整合性を確認するSDI信号検出手段と、
ＳＤＴＩストリームのアンシラリデータ領域に含まれるＳＤＴＩヘッダデータを検出するＳＤＴＩヘッダデータ検出手段と、
525/60システムにおいては第９および第１１番目の走査線のうち少なくとも１つの走査線上にストリームブロックが配されているかを検出するストリームブロック検出手段とを備え、
前記SDI信号検出手段の出力と、前記ＳＤＴＩヘッダデータ検出手段の出力と前記ストリームブロック検出手段の出力よりDIFデータの配置を識別することを特徴とするＳＤＴＩストリーム弁別装置。
【請求項７】
SMPTE-305M規格に規定されたＳＤＴＩフォーマットによって伝送されてきたＳＤＴＩストリームからSMPTE-314M規格に規定されたDIFデータを抽出するのに先だって請求項１記載のＳＤＴＩストリーム生成装置によって生成されたＳＤＴＩストリームか否かを識別するＳＤＴＩストリーム弁別装置であって、
ＳＤＴＩストリームのEAV情報ならびにSAV情報を検出しその整合性を確認するSDI信号検出手段と、
ＳＤＴＩストリームのアンシラリデータ領域に含まれるＳＤＴＩヘッダデータを検出するＳＤＴＩヘッダデータ検出手段と、
625/50システムにおいては第５および第７番目の走査線のうち、少なくとも１つの走査線上にストリームブロックが配されているかを検出するストリームブロック検出手段とを備え、
前記SDI信号検出手段の出力と、前記ＳＤＴＩヘッダデータ検出手段の出力と前記ストリームブロック検出手段の出力よりDIFデータの配置を識別することを特徴とするＳＤＴＩストリーム弁別装置。
【請求項８】
SMPTE-305M規格に規定されたＳＤＴＩフォーマットによって伝送されてきたＳＤＴＩストリームからSMPTE-314M規格に規定されたDIFデータを抽出するのに先だって請求項１記載のＳＤＴＩストリーム生成装置によって生成されたＳＤＴＩストリームか否かを識別するＳＤＴＩストリーム弁別装置であって、
ＳＤＴＩストリームのEAV情報ならびにSAV情報を検出しその整合性を確認するSDI信号検出手段と、
ＳＤＴＩストリームのアンシラリデータ領域に含まれるＳＤＴＩヘッダデータを検出するＳＤＴＩヘッダデータ検出手段と、第１番目の走査線上に配置されたストリームブロックを検出するストリームブロック検出手段とを備え、
前記SDI信号検出手段の出力と、前記ＳＤＴＩヘッダデータ検出手段の出力と前記ストリームブロック検出手段の出力よりDIFデータの配置を識別することを特徴とするＳＤＴＩストリーム弁別装置。
【請求項９】
請求項１記載のＳＤＴＩストリーム生成装置によって生成されたＳＤＴＩストリームをSMPTE-321M規格準拠のＳＤＴＩストリームに変換するＳＤＴＩストリーム変換装置であって、
入力されたＳＤＴＩストリームからストリームブロックを抽出するストリームブロック抽出手段と、
前記ストリームブロック抽出手段の出力するストリームブロックを先入れ先出しバッファに蓄積するバッファ手段と、
前記バッファ手段の出力を逐次読みだし、前記ストリームブロックをSMPTE-321M規格に従って走査線上に配置するストリームブロック配置手段と、
SMPTE-305Mに規定されたＳＤＴＩデータタイプヘッダを前記ストリームブロックの先頭に付加するとともにアンシラリデータ領域にＳＤＴＩヘッダデータを挿入するSMPTE-305Mフォーマッタとを有することを特徴とするＳＤＴＩストリーム変換装置。
【発明の詳細な説明】
【０００１】
【発明の属する技術分野】
本発明は、SMPTE-305M規格上で、DV方式に準拠した圧縮映像音声データを伝送するためのＳＤＴＩストリーム生成装置およびＳＤＴＩストリーム弁別装置、およびＳＤＴＩストリーム変換装置に関するものである。
【０００２】
【従来の技術】
SMPTE（Society of Motion Picture and Television Engineers）-305M規格上で、DV方式に準拠した圧縮映像音声データを伝送するフォーマットとしては、SMPTE-321MおよびSMPTE-322Mが規格化され、実用に供されている。
【０００３】
それぞれの規格が取り扱う、DV方式に準拠した圧縮映像音声データのフォーマットは、SMPTE-314M規格に規定されており、図１０のような構造となっている。図１０に示すように、この圧縮映像信号の最小単位はDIF(Digital Interface)ブロックと呼ばれ、３バイトのIDと７７バイトのデータから構成される。さらに、図１０に示すように、DIFブロックが１５０個集まったものはDIFシーケンスと呼ばれ、その先頭からヘッダセクション、サブコードセクション、VAUX(Video Auxiliary Data)セクション、そして圧縮された映像と音声の情報を含むDIFブロックで構成される映像音声セクションという順番で並べられている。１フレームはこのDIFシーケンスが525/60システムでは１０個、625/50システムでは12個連結されたもので構成される。
【０００４】
図１１にSMPTE-321M規格のフォーマットを示す。図１１は、525/60システムにおけるフォーマットを示し、ペイロードの斜線部に示すように、525本ある走査線のうち、比較的狭い範囲に１フレーム分のDV方式に準拠した圧縮映像音声データを多重している。図１１に示すように、SMPTE-321M規格では、SMPTE-314M規格で定義されたデータ並びでデータを配置し、１７１ワードのストリームブロックには２つのDIFブロックが含まれている。
【０００５】
図１２にSMPTE-322M規格のフォーマットを示す。図１２は525/60システムにおけるフォーマットを示し、ペイロードの斜線部に示すように、525本にある走査線のうち、比較的広い範囲に圧縮映像音声データを多重している。SMPTE-322Mでは、データ並びを図１２のように並び変えて配置している。すなわち、図１０に示すDIFシーケンスを構成していた各DIFブロックは図１２に示すように、圧縮映像のDIFブロック、サブコードおよびVAUXのDIFブロック、音声のDIFブロックの順に並び替えられて配置される。
【０００６】
図１３はSMPTE-305M規格を使って映像および音声を伝送するシステムのブロック図である。入力された映像音声信号は、DV圧縮エンコーダ１１０１で圧縮され、SMPTE-321M規格あるいはSMPTE-322M規格に規定されたフォーマットによってSMPTE-305M規格に規定されたＳＤＴＩ(Serial Data Transport Interface)フォーマットに変換するＳＤＴＩフォーマッタ１１０２を経て伝送路に送出される。ＳＤＴＩデフォーマッタ１１０３ではＳＤＴＩフォーマッタ１１０２と逆のプロセスで圧縮映像音声信号を取り出し、DV圧縮デコーダ１１０４によってもとの映像音声信号に復元される。
【０００７】
【発明が解決しようとする課題】
図１３の構成において、入力された映像信号から復元された映像信号までの遅延時間を考える。DV圧縮エンコーダ１１０１におけるエンコードおよびＤＶ圧縮デコーダ１１０４におけるデコードには、それぞれほぼ１フレーム相当分の処理時間を要する。ＳＤＴＩフォーマッタ１１０２での処理時間はSMPTE-321M規格を採用した場合、図１１に示すように全体の走査線の比較的狭い領域にデータが配置されるため、DV圧縮エンコーダ１１０１がSMPTE-314M規格準拠のデータ並びでほぼ１フレーム相当分の周期にわたって圧縮映像音声データを出力すると、予めデータを１フレーム分蓄積しておく必要があり、１フレーム相当分の処理時間を要する。一方、SMPTE-322M規格を採用した場合、データの並びをSMPTE-314M規格の規定するデータ並びから、SMPTE-322M規格の規定するデータ並びに変換する必要があり、やはり１フレーム相当分の処理時間を要する。STDIデフォーマッタ１１０３での処理時間も同様で、SMPTE-321M規格を採用した場合もSMPTE-322M規格を採用した場合もそれぞれ１フレーム相当分の処理時間を要する。
【０００８】
以上のようにSMPTE-321M規格あるいはSMPTE-322M規格のいずれの規格を採用したとしても合計された処理遅延時間は４フレーム相当分となる。これはVTRとVTRとの間でダビングを行ったりするようなオフラインの操作では全く問題にならないが、図１３のシステムを介して人間同士が会話するような場合、遅延が認識されるようになり、場合によっては会話に支障が生じる場合が発生する。人間にとって遅延を認識する閾値はほぼ１００ｍｓ前後にあることが知られており、例えば、525/60システムでの４フレーム遅延は１３３ｍｓとなることから、図１３のシステムでのスムーズな会話を実現するためには処理遅延時間の短縮が必要である。
【０００９】
本発明は、SMPTE-314M規格に規定されたDV方式準拠の圧縮映像音声データとSMPTE-305M規格に規定されたＳＤＴＩストリームとの変換に要する処理時間を短縮し、構成の簡素な、伝送遅延の少ないＳＤＴＩストリーム生成装置、ＳＤＴＩストリーム弁別装置、ＳＤＴＩストリーム変換装置を提供することを目的とする。
【００１０】
【課題を解決するための手段】
上記課題を解決するために、本発明のＳＤＴＩストリーム生成装置は、ストリームブロック生成手段がSMPTE-314M規格に規定されたDIFデータより、SMPTE-321M規格に規定されたストリームブロックを生成し、ストリームブロック配置手段がSMPTE-31４M規格に規定された並びでストリームブロックを、525/60システムにおいては、１周期７本の走査線のうち５本の走査線上に前記ストリームブロックを均等個配置し、625/50システムにおいては、１周期25本の走査線のうち18本の走査線上に均等個配置する。
【００１１】
また、本発明のＳＤＴＩストリーム弁別装置は、入力されたＳＤＴＩストリームに対して、SDI信号検出手段がSDIフォーマットであるかを検出し、ＳＤＴＩ信号検出手段がＳＤＴＩフォーマットであるかを検出し、ストリームブロック検出手段が本発明のストリーム生成装置が生成したストリーム、SMPTE-321MまたはSMPTE-322M規格準拠のストリームであるかを検出する。
【００１２】
また、本発明のＳＤＴＩストリーム変換装置は、ストリームブロック抽出手段がＳＤＴＩストリームからストリームブロックを抽出し、ストリームブロック配置手段がストリームブロックを走査線上の所定の位置に配置し、SMPTE-305MフォーマッタがSMPTE-305Mフォーマットのストリームに変換する。
【００１３】
【発明の実施の形態】
本発明の第１の発明は、DV方式に準拠した圧縮映像音声データをSMPTE-305M規格に規定されたＳＤＴＩフォーマットによって伝送するストリームを生成するＳＤＴＩストリーム生成装置であって、DV方式で圧縮され、SMPTE-314M規格に規定された並びのDIFデータを受け、SMPTE-321M規格に規定されたストリームブロックを生成するストリームブロック生成手段と、前記ストリームブロックに含まれるDIFデータが前記SMPTE-314M規格に規定された並びになるよう、525/60システムにおいては、１周期７本走査線のうち５本の走査線上に前記ストリームブロックを均等個配置し、625/50システムにおいては、１周期２５本の走査線のうち１８本の走査線上に前記ストリームブロックを均等個配置するストリームブロック配置手段と、前記ストリームブロックの先頭にSMPTE-305Mに規定されたＳＤＴＩデータタイプヘッダを付加するとともにアンシラリデータ領域にＳＤＴＩデータストリームであることを示すＳＤＴＩヘッダデータを挿入するSMPTE-305Mフォーマッタとを備えたことを特徴とするＳＤＴＩストリーム生成装置である。ストリームブロック生成手段がSMPTE-314M規格に規定されたDIFデータより、SMPTE-321M規格に規定されたストリームブロックを生成し、ストリームブロック配置手段がSMPTE-321M規格に規定された並びで、525/60システムにおいては、１周期７本走査線のうち５本の走査線上に前記ストリームブロックを均等個配置し、625/50システムにおいては、１周期２５本の走査線のうち１８本の走査線上に前記ストリームブロックを均等個配置することにより、ＳＤＴＩフォーマッタならびにＳＤＴＩデフォーマッタでの処理時間を１フレーム相当分の時間に比べて十分小さくすることができる。
【００１４】
また、本発明の第２の発明は、ストリームブロック配置手段は、525/60システムにおいては、７ｎ＋３、７ｎ＋７（ｎは０以上の整数）番目以外の走査線上にストリームブロックを配置することを特徴とする前記第１の発明に係るＳＤＴＩストリーム生成装置である。本発明の第３の発明は、ストリームブロック配置手段は、先頭ＤＩＦデータを含むストリームブロックを第１１番目の走査線上に配置することを特徴とする前記第２の発明に係るＳＤＴＩストリーム生成装置である。また、本発明の第４の発明は、ストリームブロック配置手段は、625/50システムにおいては、２５ｎ＋２、２５ｎ＋６、２５ｎ＋１０、２５ｎ＋１３、２５ｎ＋１７、２５ｎ＋２０、２５ｎ＋２４番目（ｎは０以上の整数）以外の走査線上にストリームブロックを配置することを特徴とする前記第１の発明に係るＳＤＴＩストリーム生成装置である。また、本発明の第５の発明は、ストリームブロック配置手段は、先頭ＤＩＦデータを含むストリームブロックを第７番目の走査線上に配置することを特徴とする前記第４の発明に係るＳＤＴＩストリーム生成装置である。このように上記関係する走査線上にストリームブロックを均等個配置する。
【００１５】
本発明の第６の発明は、SMPTE-305に規定されたＳＤＴＩフォーマットによって伝送されてきたＳＤＴＩストリームからSMPTE-314M規格に規定されたDIFデータを抽出するのに先だって第１の発明のＳＤＴＩストリーム生成装置によって生成されたＳＤＴＩストリームか否かを識別するＳＤＴＩストリーム弁別装置であって、ＳＤＴＩストリームのEAV情報ならびにSAV情報を検出しその整合性を確認するSDI信号検出手段と、ＳＤＴＩストリームのアンシラリデータ領域に含まれるＳＤＴＩヘッダデータを検出するＳＤＴＩヘッダデータ検出手段と、525/60システムにおいては、第９および第１１番目の走査線のうち少なくとも１つの走査線上にストリームブロックが配されているかを検出するストリームブロック検出手段とを備え、前記SDI信号検出手段の出力と、前記ＳＤＴＩヘッダデータ検出手段の出力と前記ストリームブロック検出手段の出力よりDIFデータの配置を識別することを特徴とするＳＤＴＩストリーム弁別装置である。また、本発明の第７の発明は、SMPTE-305に規定されたＳＤＴＩフォーマットによって伝送されてきたＳＤＴＩストリームからSMPTE-314M規格に規定されたDIFデータを抽出するのに先だって第１の発明のＳＤＴＩストリーム生成装置によって生成されたＳＤＴＩストリームか否かを識別するＳＤＴＩストリーム弁別装置であって、ＳＤＴＩストリームのEAV情報ならびにSAV情報を検出しその整合性を確認するSDI信号検出手段と、ＳＤＴＩストリームのアンシラリデータ領域に含まれるＳＤＴＩヘッダデータを検出するＳＤＴＩヘッダデータ検出手段と、625/50システムにおいては第５および第７番目の走査線のうち、少なくとも１つの走査線上にストリームブロックが配されているかを検出するストリームブロック検出手段とを備え、前記SDI信号検出手段の出力と、前記ＳＤＴＩヘッダデータ検出手段の出力と前記ストリームブロック検出手段の出力よりDIFデータの配置を識別することを特徴とするＳＤＴＩストリーム弁別装置である。予め決められた走査線上に配置されたストリームブロックを検出することで、容易に本発明のＳＤＴＩストリーム生成装置によって生成されたＳＤＴＩストリームとSMPTE-321MならびにSMPTE-322Mに規定されたＳＤＴＩストリームとを識別することが可能である。
【００１６】
さらに、本発明の第８の発明は、SMPTE-305に規定されたＳＤＴＩフォーマットによって伝送されてきたＳＤＴＩストリームからSMPTE-314M規格に規定されたDIFデータを抽出するのに先だって第１の発明のＳＤＴＩストリーム生成装置によって生成されたＳＤＴＩストリームか否かを識別するＳＤＴＩストリーム弁別装置であって、ＳＤＴＩストリームのEAV情報ならびにSAV情報を検出しその整合性を確認するSDI信号検出手段と、ＳＤＴＩストリームのアンシラリデータ領域に含まれるＳＤＴＩヘッダデータを検出するＳＤＴＩヘッダデータ検出手段と、第１番目の走査線上に配置されたストリームブロックを検出するストリームブロック検出手段とを備え、前記SDI信号検出手段の出力と、前記ＳＤＴＩヘッダデータ検出手段の出力と前記ストリームブロック検出手段の出力よりDIFデータの配置を識別することを特徴とするＳＤＴＩストリーム弁別装置である。
また、本発明の第９の発明は、第1の発明のＳＤＴＩストリーム生成装置によって生成されたＳＤＴＩストリームをSMPTE-321M規格準拠のＳＤＴＩストリームに変換するＳＤＴＩストリーム変換装置であって、入力されたＳＤＴＩストリームからストリームブロックを抽出するストリームブロック抽出手段と、前記ストリームブロック抽出手段の出力するストリームブロックを先入れ先出しバッファに蓄積するバッファ手段と、前記バッファ手段の出力を逐次読みだし、前記ストリームブロックをSMPTE-321M規格に従って走査線上に配置するストリームブロック配置手段と、SMPTE-305Mに規定されたＳＤＴＩデータタイプヘッダを前記ストリームブロックの先頭に付加するとともにアンシラリデータ領域にＳＤＴＩヘッダデータを挿入するSMPTE-305Mフォーマッタとを有することを特徴とするＳＤＴＩストリーム変換装置である。ストリームブロック抽出器が入力されたＳＤＴＩストリームよりストリームブロックを抽出し、ストリームブロック配置器がストリームブロックを走査線上にSMPTE-321M規格に規定されたように配することより、容易に本発明のＳＤＴＩストリーム生成装置によって生成されたＳＤＴＩストリームをSMPTE-321M規格に規定されたＳＤＴＩストリームに変換することができる。
【００１７】
以下、本発明の実施の形態について、図１から図１０を用いて説明する。
【００１８】
（実施の形態１）
図1は本発明の実施の形態1におけるＳＤＴＩストリーム生成装置のブロック図である。
【００１９】
図１において、１０１は外部から入力される非圧縮の映像音声信号をDV方式に準拠した圧縮方式によって圧縮を行い、SMPTE-314M規格に規定されたデータ並びで圧縮映像信号を出力するDV圧縮エンコーダ、１０２はDV圧縮エンコーダ１０１の出力する圧縮映像信号から２つづつDIFブロックを取りだし、ストリームブロックを組み立てるストリームブロック生成器、１０３はストリームブロックをSMPTE-314M規格に規定されたデータ並びで所定の走査線上に均等個配置するストリームブロック配置器、１０４は各ストリームブロックの先頭にSMPTE-305M規格で規定されたＳＤＴＩデータタイプを付加するとともに、アンシラリデータ領域にＳＤＴＩデータストリームであることを示すＳＤＴＩヘッダデータを配置するSMPTE-305Mフォーマッタである。
【００２０】
DV圧縮エンコーダ１０１は、外部から入力される非圧縮の映像音声信号をDV方式に準拠した圧縮方式によって圧縮を行い、図１０に示すSMPTE-314M規格に規定されたデータ並びで圧縮映像信号を出力する。ストリームブロック生成器１０２は、DV圧縮エンコーダ１０１の出力する圧縮映像信号から２つづつDIFブロックを取りだし、図２に示すストリームブロックを組み立てる。図２に示すように、ストリームブロックには２つのDIFブロックが含まれる。図２において、ストリームブロックのDIFブロックデータ以外のフィールドはSMPTE-321M規格に規定されているものと同一である。525/60システムの場合、圧縮映像信号の１フレームは１５００個のDIFブロックから構成されているので、１フレーム当たり７５０個のストリームブロックが生成される。
【００２１】
ストリームブロック配置器１０３はストリームブロック生成器１０２の出力するストリームブロックを例えば、図３のように走査線上に配置していく。図３は525/60システムの場合のデータを示す。まず、フレームの境界、フィールドの境界、走査線の境界、そしてアンシラリデータ領域とペイロード領域との境界を指定するＥＡＶ(End of Active Video)データならびにＳＡＶ(Start of Active Video)データを配置する。
【００２２】
次に、図３に示すように、ストリームブロックを、７ｎ＋３と７ｎ＋７番（ｎは０以上の整数）以外の走査線上にSMPTE-314M規格に規定された並びで、それぞれ２個づつ配置していく。例えば、図３における、第１の走査線上には２個のストリームブロックがあるが、SAV側のストリームブロックには図１０に示す、DIFブロック(0,1)、DIFブロック(1,1)、次のストリームブロックにはDIFブロック(2,1)、DIFブロック(3,1)の順で含まれている。同様に、第２の走査線上にはDIFブロック(4,1)、DIFブロック(5,1)を含んだストリームブロック、DIFブロック(6,1)、DIFブロック(7,1)を含んだストリームブロックが配される。
【００２３】
ここで、７ｎ＋３、７ｎ＋７番目以外の走査線上に配することについて説明する。525/60システムでは、750個のストリームブロックを525本の操作線上に配置することから、平均1.428個のストリームブロックを1本の走査線上に配置することになる。この場合の制約条件として、以下のようなものがある。
【００２４】
1)SMPTE-305M規格に準拠するために、EAVとSAVの間(水平ブランキング期間)にはストリームブロックを配置できない。
【００２５】
2)SMPTE-PR168規格に準拠するためＳＤＴＩ信号をオンラインでスイッチングするため、まったくストリームブロックを配置しない走査線がすくなくとも1フレームに1本は必要である。
【００２６】
この場合、ストリームブロックの個数は525の整数倍ではないため、各走査線上に配置するストリームブロックの個数は同じにできない。本実施の形態では、ストリームブロックを走査線上に均等に配置するため、各走査線上に配置されるストリームブロックの個数を０個、２個の２種類とし、525= ( 5 + 2 )×75より７本の走査線あたり、2個のストリームブロックを配置する走査線が5本、配置しないの走査線が2本という組合せで、750個のストリームブロックを525本の走査線上に均等に配置する。さらに、7本の走査線には均等に配置するという目標のために、７本単位の中ではストリームブロックが走査線毎に、無有有無有有有、すなわち、走査線上のストリームブロック数が０個１本、２個２本、０個１本、２個２本というパターンが最適なのは自明である。さらに、制約条件２に合わせて、ストリームブロックが無い走査線を、525/60システムでは、第10番目にくるようにすればよい。第10番目の走査線をストリームブロックが無い走査線にするためには、走査線番号（ストリームブロックの有無）とすると、7（無）、8（有）、9（有）、10（無）、11（有）、12（有）、13（有）と、10（無）、11（有）12（有）、13（無）、14（有）、15（有）、16（有）が考えられるが、データを速いタイミングで伝送できた方がいいので、本実施の形態では、前者のパターンを選択する。
【００２７】
なお、図３ではＳＡＶに接近させて２個を配置しているが、ペイロード領域内であればどこに配置してもかまわない。ただし、ストリームブロックを含む走査線上での各走査線上のストリームブロックの個数は等しい必要がある。たとえば、１フレーム当たりのDIFブロック数が増加した場合に、たとえばＤＶ圧縮エンコーダ１０１が１フレーム当たり３０００個のDIFブロックを出力する場合は、ストリームブロック生成器１０２の出力する１５００個のストリームブロックを７ｎ＋３と７ｎ＋７番目以外の走査線上にそれぞれ４個づつ配置していく。
【００２８】
図４は625/50システムの場合におけるストリームブロックの配置である。625/50システムの場合、DV圧縮エンコーダ１０１からは１フレーム当たり１８００個のDIFブロックが出力され、ストリームブロック生成器１０２からは９００個のストリームブロックが出力される。ストリームブロック配置器１０３では525/60システムの場合と同様にEAVデータ、SAVデータを配置した後、ストリームブロックを図４に示すように、２５ｎ＋２、２５ｎ＋６、２５ｎ＋１０、２５ｎ＋１３、２５ｎ＋１７、２５ｎ＋２０、２５ｎ＋２４番目（ｎは０以上の整数）以外の走査線上にそれぞれ２個づつ配置していく。ここで、625/50システムの場合も、525/60システムと同様の方法で、ストリームブロックを配置する走査線を決定している。
【００２９】
SMPTE-305Mフォーマッタ１０４は、525/60システムでは図５のように、625/50システムでは図６のように各ストリームブロックの先頭にSMPTE-305M規格で規定されたＳＤＴＩデータタイプを付加するとともに、アンシラリデータ領域にＳＤＴＩデータストリームであることを示すＳＤＴＩヘッダデータを配置し、SMPTE-305M規格に準拠したストリームを生成する。
【００３０】
以上の構成により本発明のＳＤＴＩストリーム生成装置は、１フレームを構成する走査線全体にわたってストリームブロックを配置することができると同時に、DV圧縮エンコーダの出力するSMPTE-314M規格の規定するデータ並びそのままの並びでDIFブロックをＳＤＴＩストリーム上に並べることができる。これにより、たとえば図１３のような映像音声伝送システムを構成した場合、ＳＤＴＩフォーマッタ１１０２およびＳＤＴＩデフォーマッタ１１０３でのデータ蓄積やデータの並び替えが不要となるため、処理遅延時間を数走査線相当の時間に短縮することができる。
【００３１】
なお、映像信号のスイッチングのタイミングは、SMPTE-RP168規格に従って、525/60システムでは第１０番目の走査線において、625/50システムでは第６番目の走査線において行われることが多い。従って、上記実施例のストリームブロックの配置にあたっては、525/60システムにおいては第１１番目の走査線にフレームの先頭DIFブロックを含むストリームブロックを配置し、625/50システムでは第7番目の走査線にフレームの先頭DIFブロックを含むストリームブロックを配置する。これによりＳＤＴＩストリームがSDI(Serial Digital Interface)ルーティングスイッチャーなどによってスイッチングされた場合でも１フレームを構成するDIFブロックが分断されることはない。
【００３２】
（実施の形態２）
図７は本発明の実施の形態２におけるＳＤＴＩストリーム弁別装置とそれを含むＳＤＴＩストリーム受信装置の構成を示すブロック図である。
【００３３】
図７において、６０１は外部から入力されるＳＤＴＩストリームがSDIフォーマットであるかどうかを検出するSDI検出器、６０２は入力されるＳＤＴＩストリームがＳＤＴＩフォーマットであるかどうかを検出するＳＤＴＩ検出器、６０３は本発明のＳＤＴＩストリーム生成装置で生成されたストリームであるかを検出する第１のストリームブロック検出器、６０４はSMPTE-321規格、SMPTE-322規格のどちらの規格に準拠しているかを検出する第２のストリームブロック検出器、６０５はSDI検出器６０１の出力、ＳＤＴＩ検出器６０２の出力、第１のストリームブロック検出器６０３の出力、および第２のストリームブロック検出器６０４の出力を受け、入力されたＳＤＴＩストリームがどういうストリームであるかを示す判定結果を出力する判定器、６０６は入力されたＳＤＴＩストリームがＳＤＴＩストリームであるかを弁別するＳＤＴＩストリーム弁別装置、６０７は判定器６０５の判定に従って、入力されたＳＤＴＩストリームよりDIFブロックを抽出するDIFブロック抽出器、６０８はDIFブロック検出器６０７より出力されるデータをもとの映像音声信号に復元するDV圧縮デコーダである。本発明のＳＤＴＩストリーム弁別装置は少なくともSDI検出器６１０、ＳＤＴＩ検出器６０２、第1のストリームブロック検出器６０３、および判定器６０５によって構成される。また、第１のストリームブロック検出器６０３、第２のストリームブロック検出器６０４はストリームブロック検出手段に相当する。
【００３４】
SDI検出器６０１は、外部から入力されるＳＤＴＩストリームよりEAVデータとSAVデータを検出し、それらが正しくフレーム、フィールド、走査線およびアンシラリデータ領域とペイロード領域を構成する、SDIフォーマットであるかどうかを検出する。ＳＤＴＩ検出器６０２は、アンシラリデータ領域に含まれるＳＤＴＩヘッダデータの有無を検出し、入力されたＳＤＴＩストリームがＳＤＴＩフォーマットであるかどうかを検出する。第１のストリームブロック検出器６０３、第２ストリームブロック検出器６０４は、入力されたＳＤＴＩストリームの所定の走査線上にストリームブロックが含まれているかどうかを検出する。判定器６０５は、SDI検出器６０１の出力と、ＳＤＴＩ検出器６０２の出力と第1のストリームブロック検出器６０３の出力と、第2のストリームブロック検出器６０４の出力を受け、入力されたＳＤＴＩストリームに対する判定結果を出力する。DIFブロック抽出器６０７は、判定器６０５の出力する判定結果に基づいて外部から入力されたＳＤＴＩストリームからDIFブロックを抽出する。DV圧縮デコーダ６０８はDIFブロック抽出器６０７の出力を非圧縮映像音声信号に復元する。
【００３５】
図８は判定器６０５での判定手順を示すフローチャートである。本実施の形態では525/60システムにおける判定手順を示す。
【００３６】
まず、処理手続き７０１においてSDI検出器６０１の出力により入力されたＳＤＴＩストリームがSDIフォーマットであるかどうかの判定を行う。SDIフォーマットである場合は処理手続き７０２に進み、そうでない場合は入力されたＳＤＴＩストリームは不正規信号であると判定する。処理手続き７０２ではＳＤＴＩ検出器６０２の出力によってＳＤＴＩフォーマットの判定を行い、ＳＤＴＩフォーマットである場合は処理手続き７０３に進み、そうでない場合は入力されたＳＤＴＩストリームは非圧縮映像信号であると判定する。次に処理手続き７０３では第１のストリームブロック検出器６０３の出力によって第9ならびに第11番目の走査線にストリームブロックが含まれるかどうかを判定する。本発明のＳＤＴＩストリーム生成装置では７ｎ＋３、７ｎ＋７番目の走査線上にはストリームブロックが含まれず、図１１に示すSMPTE-321M規格は第21番目、図１２に示すSMPTE-322Mは第12番目の走査線からストリームブロックが配されることから、第9ならびに第11番目の走査線にストリームブロックが含まれる場合は、本発明のＳＤＴＩストリーム生成装置によって生成されたＳＤＴＩストリームであると判定される。もし含まれない場合には処理手続き７０４に進み、第12から第20番目の走査線にストリームブロックを含むかどうかによってSMPTE-321M規格準拠のＳＤＴＩストリームであるか、SMPTE-322M規格準拠のＳＤＴＩストリームであるかの判定が行われる。図１１、図１２に示すように、SMPTE-321M規格では第21番目の走査線からストリームブロックが配置され、SMPTE-322M規格では第12番目の走査線からストリームブロックが配置されることから、第12から第20番目の走査線にストリームブロックを含む場合はSMPTE-322M規格準拠のＳＤＴＩストリーム、含まない場合はSMPTE-321M規格準拠のＳＤＴＩストリームと判定される。
【００３７】
上記の構成により、複数の方式のＳＤＴＩストリームを正しく弁別することが可能である。
【００３８】
なお、本実施の形態では、第１のストリームブロック検出器６０３は第9ならびに第11番目の走査線にストリームブロックが含まれるかどうかの検出を行ったが、第9番目の走査線のみ、第11番目の走査線のみでも検出は可能である。
【００３９】
また、625/50システムにおいては、第１のストリームブロック検出器６０３では第5ならびに第7番目の走査線にストリームブロックを含まれているかを検出し、第2のストリームブロック検出器６０４では第8から第22番目の走査線にストリームブロックが含まれているかどうかを検出することによって、525/60システムと同様に入力されたＳＤＴＩストリームの弁別が可能である。この場合も、第５番目の走査線のみ、第７番目の走査線のみでも検出可能である。
【００４０】
また、あらかじめSMPTE-322M規格準拠のＳＤＴＩストリームでないことがわかっている場合は、第2のストリームブロック検出器６０４は不要で、さらに第1のストリームブロック検出器６０３において第1番目の走査線にストリームブロックを含むかどうかを検出することで、本発明のＳＤＴＩストリーム生成装置によるＳＤＴＩストリームであるか、SMPTE-321M規格準拠のＳＤＴＩストリームであるかの弁別が可能である。
【００４１】
（実施の形態３）
図９は本発明の実施の形態３におけるＳＤＴＩストリーム変換装置の構成を示すブロック図である。
【００４２】
図９において、８０１は入力されたＳＤＴＩストリームよりストリームブロックを抽出するストリームブロック抽出器、８０２はストリームブロック抽出器８０１の出力するストリームブロックを順次蓄積し、先入れ先出し方式でストリームブロックを出力するFIFOバッファ、８０３はSMPTE-321M準拠のＳＤＴＩストリームを生成できるようにストリームブロックを配置するストリームブロック配置器、８０４は各ストリームブロックの先頭にＳＤＴＩデータタイプを付加するとともに、アンシラリデータ領域にＳＤＴＩデータストリームであることを示すＳＤＴＩヘッダデータを配置してＳＤＴＩストリームを生成するSMPTE-305Mフォーマッタである。
【００４３】
以下、525/60システムを例にとって説明する。
【００４４】
ストリームブロック抽出器８０１は、外部から入力される本発明のＳＤＴＩストリーム生成装置によって生成された図５に示すＳＤＴＩストリームを受け、ストリームブロックを抽出する。FIFOバッファ８０２はストリームブロック抽出器８０１の出力するストリームブロックを順次蓄積し、先入れ先出し方式でストリームブロックを出力する。ストリームブロック配置器８０３は、SMPTE-321M準拠のＳＤＴＩストリームを生成できるように図１１に示すように、ストリームブロックを配置する。SMPTE-305Mフォーマッタ８０４は、各ストリームブロックの先頭にＳＤＴＩデータタイプを付加するとともに、アンシラリデータ領域にＳＤＴＩヘッダデータを配置することでＳＤＴＩストリームを完成する。
【００４５】
本発明のＳＤＴＩストリーム変換装置は、上記の構成により本発明のＳＤＴＩストリーム生成装置によって生成されたＳＤＴＩストリームをSMPTE-321M規格に準拠したＳＤＴＩストリームに変換することができる。
【００４６】
すなわち、本発明のＳＤＴＩストリーム生成装置によって生成されたＳＤＴＩストリームはSMPTE-321M規格と同じストリームブロックによって構成され、同時にそれに含まれるDIFブロックの並びもまた同じであるので、ＳＤＴＩストリームのもっとも基本的な構成要素であるDIFブロックにまで戻す必要がなく、かつ、ストリームブロックの順序を入れ替える必要がない。これによって、図２のストリームブロックを生成する上で複雑な演算処理を要するECC演算が不要で、かつデータを蓄えるバッファとしてもっとも構造が簡単なFIFOバッファを用いることができる。
【００４７】
つまり、本発明のＳＤＴＩストリーム変換装置は、きわめて簡易な構成により本発明のＳＤＴＩストリーム生成装置によって生成されたＳＤＴＩストリームをSMPTE-321M規格に準拠したＳＤＴＩストリームに変換することができる。
【００４８】
なお、本実施の形態では、525/60システムを例にとって説明したが、625/50システムでも同様の動作を行うことによって、ＳＤＴＩストリームをSMPTE-321M規格に準拠したＳＤＴＩストリームに変換することができる。
【００４９】
【発明の効果】
以上説明したところからも明らかなように、本発明のＳＤＴＩストリーム生成装置によれば、SMPTE-314Mに規定されたDV方式準拠の圧縮映像音声データとSMPTE-305Mに規定されたＳＤＴＩストリームとの変換に要する処理時間を短縮することができ、構成の簡素な、伝送遅延の少ない映像音声伝送システムを提供することができる。
【００５０】
また、本発明のＳＤＴＩストリーム弁別装置によれば、簡易な構成で他のＳＤＴＩストリームと本発明のＳＤＴＩストリーム生成装置によって生成されたＳＤＴＩストリームを識別することが可能で、他のＳＤＴＩストリーム生成装置と互換性のある映像音声伝送システムを提供することができる。
【００５１】
また、本発明のＳＤＴＩストリーム変換装置によれば、本発明のＳＤＴＩストリーム生成装置によって生成されたＳＤＴＩストリームを簡易な構成でSMPTE-321M規格準拠のＳＤＴＩストリームに変換することができ、SMPTE-321M規格準拠のＳＤＴＩストリームのみを扱う装置とも容易に接続することができる。
【図面の簡単な説明】
【図１】本発明の実施の形態１におけるＳＤＴＩストリーム生成装置のブロック図
【図２】  SMPTE-305M規格に規定されたストリームブロックのフォーマット図
【図３】本発明の実施の形態１における525/60システムの場合のストリームブロックの配置を示すフォーマット図
【図４】同626/50システムの場合のストリームブロックの配置を示すフォーマット図
【図５】同525/60システムの場合のSMPTE-305Mフォーマッタによって付加されるデータを示すフォーマット図
【図６】同626/50システムの場合のSMPTE-305Mフォーマッタによって付加されるデータを示すフォーマット図
【図７】本発明のＳＤＴＩストリーム弁別装置を含むＳＤＴＩストリーム受信装置のブロック図
【図８】本発明のＳＤＴＩストリーム弁別装置の処理を示すフローチャート
【図９】本発明のＳＤＴＩストリーム変換装置のブロック図
【図１０】  SMPTE-314M規格に規定されたDIFデータフォーマット図
【図１１】  SMPTE-321Mのフォーマット図
【図１２】  SMPTE-322Mのフォーマット図
【図１３】ＳＤＴＩを用いた映像音声伝送装置の構成を示すブロック図
【符号の説明】
１０１  DV圧縮エンコーダ
１０２  ストリームブロック生成器
１０３、８０３  ストリームブロック配置器
１０４、８０４  SMPTE−３０５Mフォーマッタ
６０１  SDI検出器
６０２  ＳＤＴＩ検出器
６０３  第1のストリームブロック検出器
６０４  第2のストリームブロック検出器
６０５  判定器
６０６  ＳＤＴＩストリーム弁別装置
６０７  DIFブロック抽出装置
６０８  DV圧縮デコーダ
８０１  ストリームブロック抽出器
８０２  FIFOバッファ
【図１】
0003945175.tif 000002
【図２】
0003945175.tif 000003
【図３】
0003945175.tif 000004
【図４】
0003945175.tif 000005
【図５】
0003945175.tif 000006
【図６】
0003945175.tif 000007
【図７】
0003945175.tif 000008
【図８】
0003945175.tif 000009
【図９】
0003945175.tif 000010
【図１０】
0003945175.tif 000011
【図１１】
0003945175.tif 000012
【図１２】
0003945175.tif 000013
【図１３】
0003945175.tif 000014